(57)【特許請求の範囲】
【請求項１】
少なくとも第１カード及び第２カードを選択的に装着可能なハウジングと、前記ハウジングの一端に形成されるカードの挿入口と、前記第１カードの接触部に接続する第１コンタクトと、前記第１コンタクトの下方側の位置であって平面視で一部が重なり合う位置に配置され前記第２カードの接触部に接続する第２コンタクトと、前記第１カードの装着空間と前記第２カードの装着空間とを仕切る仕切板と、前記仕切板よりも前記挿入口側の位置で前記第１カードを前記仕切板の上方側に案内すると共に前記第２カードを前記仕切板の下方側に案内するカードガイド部材とを備えるカード用コネクタであって、
前記仕切板は、前記第１カードの挿入に伴って下方側に移動する前記第１コンタクトの先端部を収容する開口部と、前記第２カードの挿入に伴って前記第１コンタクトが前記開口部を介して前記第２カードに接触しない位置まで前記第１コンタクトを押し上げる押上部とを有することを特徴とするカード用コネクタ。
【請求項２】
前記仕切板は、前記第１カードの挿入に伴って下方側に移動する一方、前記第２カードの挿入に伴って上方側に移動することを特徴とする請求項１記載のカード用コネクタ。
【請求項３】
前記仕切板は、前記第１カードの挿入に伴って前記第２コンタクトを押し下げる押下部を有することを特徴とする請求項１又は請求項２記載のカード用コネクタ。
【請求項４】
前記仕切板は、前記第１コンタクトよりも前記挿入口側に前記第１コンタクトを保護する保護部を有することを特徴とする請求項１から請求項３のいずれかに記載のカード用コネクタ。
【発明の詳細な説明】
【技術分野】
【０００１】
本発明は、カード用コネクタに関し、特に、複数種類のカードに対応可能なカード用コネクタに関する。
【背景技術】
【０００２】
従来、長手方向の奥行きが略同一で、幅及び厚さが異なるＳＤカードと、メモリースティック  ＤＵＯ（登録商標）カードとを選択的に装着可能なカード用コネクタが提案されている（例えば、特許文献１参照）。このカード用コネクタにおいては、これらのカードに対応する各コンタクト間にスライド部材の仕切板を配置し、一方のカードが仕切板の上方側で対応するコンタクトと接触し、他方のカードが仕切板の下方側で対応するコンタクトと接触するように構成している。
【特許文献１】特開２００４−２０６９６３号公報
【発明の開示】
【発明が解決しようとする課題】
【０００３】
しかしながら、上述したような従来のカード用コネクタにおいては、低背化を実現した場合に、それぞれのカードが対応しないコンタクトと近接することとなり、カードが対応しないコンタクトと接触して当該コンタクトを破損させることが考えられる。
【０００４】
本発明はかかる問題点に鑑みて為されたものであり、コネクタを低背化した場合においても、各カードと、対応しないコンタクトとの接触を回避してコンタクトの破損を防止することができるカード用コネクタを提供することを目的とする。
【課題を解決するための手段】
【０００５】
本発明のカード用コネクタは、少なくとも第１カード及び第２カードを選択的に装着可能なハウジングと、前記ハウジングの一端に形成されるカードの挿入口と、前記第１カードの接触部に接続する第１コンタクトと、前記第１コンタクトの下方側の位置であって平面視で一部が重なり合う位置に配置され前記第２カードの接触部に接続する第２コンタクトと、前記第１カードの装着空間と前記第２カードの装着空間とを仕切る仕切板と、前記仕切板よりも前記挿入口側の位置で前記第１カードを前記仕切板の上方側に案内すると共に前記第２カードを前記仕切板の下方側に案内するカードガイド部材とを備えるカード用コネクタであって、前記仕切板は、前記第１カードの挿入に伴って下方側に移動する前記第１コンタクトの先端部を収容する開口部と、前記第２カードの挿入に伴って前記第１コンタクトが前記開口部を介して前記第２カードに接触しない位置まで前記第１コンタクトを押し上げる押上部とを有することを特徴とする。
【０００６】
上記カード用コネクタによれば、第１カードの挿入に伴って下方側に移動する第１コンタクトの先端部を開口部で収容すると共に、第２カードの挿入に伴って第１コンタクトが開口部を介して第２カードに接触しない位置まで第１コンタクトを押上部で押し上げるようにしたことから、コネクタを低背化した場合においても、各カードと、対応しないコンタクトとの接触を回避してコンタクトの破損を防止することが可能となる。
【０００７】
上記カード用コネクタにおいて、前記仕切板は、前記第１カードの挿入に伴って下方側に移動する一方、前記第２カードの挿入に伴って上方側に移動することが好ましい。この場合には、第１カード及び第２カードの挿入に伴って仕切板を上下移動させるようにしたことから、各カードの装着空間を一部共用することができるので、よりコネクタ自体の低背化を実現することが可能となる。
【０００８】
また、上記カード用コネクタにおいて、前記仕切板は、前記第１カードの挿入に伴って前記第２コンタクトを押し下げる押下部を有することが好ましい。この場合には、第１カードの挿入に伴って第２コンタクトを押し下げるようにしたことから、コネクタ内部の限られたカードの装着空間を有効に活用することができるので、よりコネクタ事態の低背化を実現することが可能となる。
【０００９】
さらに、上記カード用コネクタにおいて、前記仕切板は、前記第１コンタクトよりも前記挿入口側に前記第１コンタクトを保護する保護部を有することが好ましい。この場合には、仕切板に設けられた保護部で第１コンタクトを保護することができるので、別部材を設けてコネクタを大型化することなく、確実に第１コンタクトを保護することが可能となる。
【発明の効果】
【００１０】
本発明によれば、第１カードの挿入に伴って下方側に移動する第１コンタクトの先端部を開口部で収容すると共に、第２カードの挿入に伴って第１コンタクトが開口部を介して第２カードに接触しない位置まで第１コンタクトを押上部で押し上げるようにしたことから、コネクタを低背化した場合においても、各カードと、対応しないコンタクトとの接触を回避してコンタクトの破損を防止することが可能となる。
【発明を実施するための最良の形態】
【００１１】
以下、本発明の一実施の形態について添付図面を参照して詳細に説明する。なお、本実施の形態に係るカード用コネクタ（以下、単に「コネクタ」という）は、コネクタの低背化を図りつつ、複数種類のカードを選択的に装着可能とするものである。例えば、本実施の形態に係るコネクタにおいては、ＳＤ（secure digital）カード、ＭＭＣ（Multi Media Card）カード、メモリースティック  デュオ（登録商標）カード、メモリースティック  ＰＲＯ−ＨＧ  デュオカード、並びに、ｘＤ−Ｐｉｃｔｕｒｅ（登録商標）カードの５種類のカードが装着可能に構成されている。
【００１２】
ここで、ＭＭＣカードは、その厚さが僅かに薄い点を除き、ＳＤカードと略同様の形状を有するため、本実施の形態に係るコネクタにおいては、同一の態様で装着される。また、メモリースティック  デュオカードと、メモリースティック  ＰＲＯ−ＨＧ  デュオカードとは、コンタクトと接触する接触パッドの構成を除き、同一の形状を有するため、本実施の形態に係るコネクタにおいては、同一の態様で装着される。以下においては、適宜、ＳＤカード及びＭＭＣカードを「カードＡ」と呼び、メモリースティック  デュオカード及びメモリースティックＰＲＯ−ＨＧ  デュオカードを「カードＢ」と呼び、ｘＤ−Ｐｉｃｔｕｒｅカードを「カードＣ」と呼ぶものとする。
【００１３】
図１は、本発明の一実施の形態に係るコネクタ１の外観を示す斜視図である。なお、以下においては、適宜、図１に示す紙面下方側を「コネクタ１の前方側」又は単に「前方側」と呼び、同図に示す紙面上方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１４】
図１に示すように、本実施の形態に係るコネクタ１は、合成樹脂材料などの絶縁材料を成型して形成されるハウジング２と、金属薄板材料に打ち抜き加工及び折り曲げ加工などを施して形成されるカバー部材３とを備えている。ハウジング２は、概して偏平な直方体形状を有しており、その上方側及び前方側に開口した空間を有している。カバー部材３は、ハウジング２の上方側の開口部に対応する形状を有しており、ハウジング２の上方側から被せられる。これらを組み合わせることにより、コネクタ１は、前方側にのみ開口した形状となり、この開口部でカード挿入口４が構成される。なお、カバー部材３は、合成樹脂材料などの絶縁材料を成型して形成しても良い。
【００１５】
カバー部材３の前方側の中央部には、カード挿入口４を介して装着されたカードを引き抜き易くするための切り欠き部３０１が形成されている。また、カバー部材３の上面には、複数の付勢片３０２が形成されている。これらの付勢片３０２は、僅かに下方側に折り曲げられ、コネクタ１の内部に配置された後述する仕切板６、並びに、スライド部材７の係止部材７０３を上方側から付勢する。さらに、カバー部材３の側面には、後述するハウジング２の係合片２０３と係合する複数の開口部３０３が形成されている。さらに、カバー部材３の前方側には、後述するハウジング２の凹部２０５に係合する一対の係合片３０４が形成されている。これらの係合片３０４がハウジング２の凹部２０５に係合する一方、複数の開口部３０３にハウジング２の係合片２０３が係合することで、ハウジング２に対してカバー部材３が固定されることとなる。
【００１６】
以下、本実施の形態に係るコネクタ１の内部の構成について説明する。図２は、本実施の形態に係るコネクタ１の内部の構成を説明するための斜視図である。図３は、本実施の形態に係るコネクタ１の内部の構成を説明するための上面図である。図４は、図２及び図３に示すコネクタ１を前方側から示す図である。なお、図２、図３及び図４においては、図１に示す状態のコネクタ１からカバー部材３を取り除いた場合について示している。
【００１７】
図２に示すように、ハウジング２の内部には一定の空間が形成されており、この空間の一部で複数種類のカードが装着可能な空間（以下、適宜「カード装着空間」という）が構成される。この空間には、複数種類のカードに対応するコンタクト、カード装着空間におけるカードの挿入経路を遮蔽するシャッタ機構５、カード装着空間を仕切る仕切板６、複数種類のカードの排出を行う排出機構７、並びに、特定のカードの装着の有無等を検出する検出機構８が配設されている。
【００１８】
ハウジング２内の空間において、シャッタ機構５は、カード挿入口４の僅かに内部側（後方側）の位置に配設されている。また、仕切板６は、このシャッタ機構５よりも更に内部側（後方側）の位置に配設されている。そして、この仕切板６の右方側の位置に排出機構７が配設されており、仕切板６の左方側の位置に検出機構８の一部が配設されている。なお、検出機構８の一部は、詳細について後述するように、排出機構７の下方側の位置にも配設されている。複数種類のカードに対応するコンタクトは、カード挿入口４からのカードの挿入経路上に適宜配設されている。
【００１９】
ハウジング２は、コネクタ１の底面部を構成するベース部２０１と、コネクタ１の側端部において、このベース部２０１から上方側に垂直に立設された側壁部２０２とを有している。ベース部２０１には、詳細について後述するように、複数種類のカードに対応するコンタクトが設けられると共に、これらのコンタクトを保護するための構成が形成されている。
【００２０】
側壁部２０２の外側面には、カバー部材３の開口部３０３と係合する複数の係合片２０３が形成されている。また、コネクタ１の前方側の位置には、後述するシャッタ機構５の軸５０３を支持する孔２０４が形成されている。さらに、側壁部２０２の前面部には、カバー部材３の係合片３０４を収容する凹部２０５が形成されている。側壁部２０２の前面部の内側面は、カード挿入口４の一部を規定するものであり、主にカードＡの挿入をガイドする第１ガイド部２０６と、カードＣの挿入をガイドする第２ガイド部２０７とが形成されている。
【００２１】
図４に示すように、第１ガイド部２０６は、側壁部２０２の上端側に形成されており、挿入時におけるカードＡの側面及び下面をガイドするように構成されている。また、第１ガイド部２０６の一部は、カードＢの左方側の側面に当接し、カードＢの挿入をガイドする機能を併せ持っている。一方、第２ガイド部２０７は、第１ガイド部２０６よりも下方側に形成され、挿入時におけるカードＣの上面、側面及び下面をガイドするように構成されている。
【００２２】
左方側の側壁部２０２は、前方側における一部が左方側に突出した形状を有しており、この突出した部分の内部空間にシャッタ機構５及び仕切板６の一部が収容されている。また、左方側の側壁部２０２には、カードＡの挿入及び書込み防止機能の状態を検出する検出機構８を収容する２つの収容部２０８が形成されている。収容部２０８は、コネクタ１におけるカードの挿入方向に沿って並んで配設されており、検出機構８の一部を内部側に露出させた状態で検出機構８を収容する。
【００２３】
右方側の側壁部２０２における後面部の内側面には、排出機構７の一部を構成する圧縮ばねの一端を保持する保持片２０９が形成されている。なお、図２及び図３においては、この圧縮ばねを省略している。保持片２０９は、概して円柱形状を有しており、コネクタ１の前方側に向かって一定長さだけ延在している。また、この後面部には、排出機構７の一部を構成する係止部材７０３の一端を係止する係止穴２１０が形成されている。この係止穴２１０は、係止部材７０３の一端が上方側から差し込まれるように構成されている。
【００２４】
ベース部２０１の後方側端部には、ハウジング２の後壁部を構成するコンタクトユニット２１１が配設されている。コンタクトユニット２１１は、例えば、ベース部２０１に接着固定される。コンタクトユニット２１１の前面には、コネクタ１の左右方向に整列して複数のカードＡ用のコンタクト（以下、適宜「カードＡ用コンタクト」という）２１２が設けられている。
【００２５】
カードＡ用コンタクト２１２は、基端部がユニット本体に固定される一方、先端部がコネクタ１の前方側であって僅かに上方側に延在し、一定範囲で上下方向に揺動可能となっている。最も右方側のカードＡ用コンタクト２１２は、僅かに前方側に突出して配置されている。カードＡ用コンタクト２１２の先端部は、下方側に折り曲げられており、その折曲部近傍でカードＡの接触パッドと接触するように構成されている。詳細について後述するように、カードＡ用コンタクト２１２の先端部（最も右方側のものを除く）は、仕切板６に形成された開口部６０３に収容される位置に配置されている。なお、これらのカードＡ用コンタクト２１２の一端は、コンタクトユニット２１１の後方側からコネクタ１の外部に導出され、カードＡに対する信号を入出力可能に構成されている。
【００２６】
コンタクトユニット２１１の前面の上方側には、コネクタ１の前方側に突出する複数の突出片２１３が設けられている。突出片２１３は、カードＡ用コンタクト２１２の上方側であって、カードＡ用コンタクト２１２が存在しない部分に設けられている。これらの突出片２１３は、仕切板６の後方側端部における一定位置以上の上方側への移動を規制する役割を果たすものである。
【００２７】
シャッタ機構５は、シャッタ部材５０１と、アクチュエータ部材５０２とから構成される。シャッタ部材５０１は、コネクタ１の左右方向の略全域に亘って延在し、図４に示すように、カード挿入口４の上方側の領域に臨む位置に配設されている。なお、シャッタ部材５０１は、カードガイド部材を構成する。シャッタ部材５０１には、コネクタ１の側方側に延在する軸５０３が形成されている。この軸５０３をハウジング２の孔２０４に挿通することで、シャッタ部材５０１は、ハウジング２に回動可能に支持されている。シャッタ部材５０１は、軸５０３を回動支点として、上方側部分がコネクタ１の後方側に倒れるようにして回動し、カードＡの挿入経路を開放する。左方側に配置される軸５０３には、シャッタ部材５０１を図２〜図４に示す初期位置に復帰させる付勢力を付与するコイルばね５０４が取り付けられている。シャッタ部材５０１は、カードＡの挿入に伴い、このコイルばね５０４の付勢力に抗して回動するように構成されている。
【００２８】
アクチュエータ部材５０２は、シャッタ部材５０１よりもカード挿入口４側（前方側）に配設されている。その側面部の一部をカードＡの挿入経路上に突出させた状態で配設されている。カードＡの挿入経路上に突出させた部分でカードＡと当接し、コネクタ１の後方側に回動可能に構成されている。コネクタ１の後方側に回動した状態でカードＡの挿入経路から退避した状態となる。アクチュエータ部材５０２の回動軸には、アクチュエータ部材５０２を図２〜図４に示す初期位置に復帰させる付勢力を付与するコイルばね５０５が取り付けられている（図４参照）。アクチュエータ部材５０２は、カードＡの挿入に伴い、このコイルばね５０５の付勢力に抗して回動するように構成されている。
【００２９】
仕切板６は、コネクタ１に挿入されるカードの種類に応じて、カード装着空間内で僅かに上下方向に揺動可能に構成されている。仕切板６は、概して平板形状を有しており、シャッタ機構５の後方側近傍からコンタクトユニット２１１の突出片２１３の下方側領域に対応する長さを有している。また、仕切板６における前方側の端部近傍において、コネクタ１の側方側に広がる形状を有しており、前方側端部にハウジング２の内部空間の略全域に亘る長さを有するアーム部６０１を有している。アーム部６０１の上面には、カバー部材３の付勢片３０２が載置され、仕切板６は、下方側に僅かに付勢された状態となっている。
【００３０】
排出機構７は、スライド部材７０１と、不図示の圧縮ばね７０２と、係止部材７０３とから構成されている。スライド部材７０１は、概して、コネクタ１の前後方向に延在する直方体形状を有しており、ハウジング２の右方側の側壁部２０２に沿って前後方向にスライド可能に構成されている。詳細について後述するように、使用者によるカードに対する押圧操作に応じて、カードをコネクタ１における所定の装着位置から排出位置に移動させる役割を果たすものである。
【００３１】
圧縮ばね７０２は、上述のように、後方側の端部がハウジング２の保持片２０９に保持され、前方側の端部がスライド部材７０１の下面側の不図示の保持片に保持されており、スライド部材７０１を前方側に付勢する付勢力を付与している。係止部材７０３は、その前端部及び後端部で下方側に折り曲げられた形状を有している。上述のように、後方側の一端がハウジング２の係止穴２１０に差し込まれ、前方側の一端がスライド部材７の上面に形成されたガイド溝７１１と係合している。係止部材７０３は、圧縮ばね７０２による付勢力に抗してスライド部材７０１の前方側への移動を規制する役割を果たすものである。係止部材７０３の上部には、カバー部材３の付勢片３０２が載置され、係止部材７０３は、ガイド溝７１１に係合するよう下方側に僅かに付勢された状態となっている。
【００３２】
検出機構８は、板状部８０１と、当接部８０２と、不図示の接点部８０３とから構成される。板状部８０１は、ハウジング２の収容部２０８に収容される。当接部８０２は、板状部８０１の内側面に設けられており、その一部がカードＡの挿入経路上に露出した状態となっている。接点部８０３は、詳細について後述するように、板状部８０１の下方側に配設された固定接点部８０３ａと、板状部８０１の下面部に揺動可能に固定された可動接点部８０３ｂとから構成されている。可動接点部８０３ｂは、トーションスプリングで構成され、カードＡの挿入、非挿入状態等に応じて、当接部８０２が変位して板状部８０１の角度を変化させることで、固定接点部８０３ａとの間の導通状態、非導通状態を切り替える。
【００３３】
図５は、本実施の形態に係るコネクタ１の内部の構成を説明するための斜視図である。図６は、本実施の形態に係るコネクタ１の内部の構成を説明するための上面図である。なお、図５及び図６においては、図２に示す状態のコネクタ１から仕切板６を取り除いた場合について示している。
【００３４】
図５に示すように、ハウジング２のベース部２０１の中央近傍には、コネクタ１の左右方向に整列して複数のカードＢ用のコンタクト（以下、適宜「カードＢ用コンタクト」という）２１４、２１５が設けられている。カードＢ用コンタクト２１４は、カードＡ用コンタクト２１２の下方側に設けられている。基端部がベース部２０１に固定される一方、先端部がコネクタ１の前方側であって僅かに上方側に延在し、一定範囲で上下方向に揺動可能となっている。また、カードＢ用コンタクト２１４の先端部は、カードＡ用コンタクト２１２と同様に、下方側に折り曲げられており、その折曲部近傍でカードＢの接触パッドと接触するように構成されている。
【００３５】
このように、カードＡ用コンタクト２１２と、カードＢ用コンタクト２１４とをカード装着空間において上下２段に設け、図６に示すように、平面視で一部が重なり合うように配置することにより、コネクタ１内の限られたカード装着空間を有効に活用している。
【００３６】
一方、カードＢ用コンタクト２１５は、カードＢ用コンタクト２１４の前方側の位置に設けられている。基端部がベース部２０１に固定される一方、先端部がコネクタ１の後方側であって僅かに上方側に延在し、一定範囲で上下方向に揺動可能となっている。また、カードＢ用コンタクト２１５の先端部は、カードＡ用コンタクト２１２と同様に、下方側に折り曲げられており、その折曲部近傍でカードＢの接触パッドと接触するように構成されている。なお、これらのカードＢ用コンタクト２１４、２１５の一端は、ベース部２０１の後方側からコネクタ１の外部に導出され、カードＢに対する信号を入出力可能に構成されている。
【００３７】
なお、例えば、カードＢ用コンタクト２１４は、メモリースティック  デュオカードに対応するコンタクトであり、カードＢ用コンタクト２１５は、メモリースティック  ＰＲＯ−ＨＧ  デュオカードに対応するコンタクトである。メモリースティック  ＰＲＯ−ＨＧ  デュオカードは、メモリースティック  デュオカードと異なり、コンタクトとの接触パッドが一部分割されているため、本実施の形態に係るコネクタ１においては、別途、カードＢ用コンタクト２１５を設けている。
【００３８】
また、ハウジング２のベース部２０１には、コネクタ１の左右方向に整列して複数のカードＣ用のコンタクト（以下、適宜「カードＣ用コンタクト」という）２１６が設けられている。カードＣ用コンタクト２１６は、カードＢ用コンタクト２１５の前方側であって、シャッタ機構５の僅かに後方側の位置に設けられている。基端部がベース部２０１に固定される一方、先端部がコネクタ１の後方側であって僅かに上方側に延在し、一定範囲で上下方向に揺動可能となっている。また、カードＣ用コンタクト２１６の先端部は、カードＡ用コンタクト２１２と同様に、下方側に折り曲げられており、その折曲部近傍でカードＣの接触パッドと接触するように構成されている。なお、これらのカードＣ用コンタクト２１６の一端は、ベース部２０１の前方側からコネクタ１の外部に導出され、カードＣに対する信号を入出力可能に構成されている。
【００３９】
カードＣ用コンタクト２１６の近傍には、カードＣ用コンタクト２１６を保護するための保護板２１７が配設されている。保護板２１７は、概して、コネクタ１の左右方向に延在する長方形状の板状部材で構成され、その前方側の端部でベース部２０１に保持されている。また、下方に配置される支持片により押し上げられ、カードＣの挿入に伴って後方側の先端部が僅かに上下方向に揺動可能となっている。保護板２１７には、複数のカードＣ用コンタクト２１６を収容する溝部２１８が形成されている。カードＣの非挿入時において、この溝部２１８にカードＣ用コンタクト２１６を収容することで、カードＣ用コンタクト２１６を保護している。
【００４０】
図７は、本実施の形態に係るコネクタ１の内部の構成を説明するための斜視図である。図８は、本実施の形態に係るコネクタ１の内部の構成を説明するための上面図である。なお、図７及び図８においては、図５に示す状態のコネクタ１からコンタクトユニット２１１、シャッタ部材５０１、保護板２１７及び排出機構７を取り除いた場合について示している。
【００４１】
図７に示すように、ハウジング２のベース部２０１には、カードＢ用コンタクト２１４と、カードＢ用コンタクト２１５との間に、コネクタ１の左右方向に整列して、カードＢ用コンタクト２１４を保護するための複数の突出片２１９が設けられている。複数の突出片２１９は、カードＢの挿入時にカードＢ用コンタクト２１４がカードＢにより座屈しないように保護するものである。
【００４２】
また、最も左方側に配置された突出片２１９の左方側には、カードＢにおける逆方向での挿入を防止するための突出片２２０が設けられている。突出片２２０は、カードＢが適切な方向で挿入された場合には、カードＢの下面に形成される凹部に収容される。一方、カードＢが逆方向に挿入された場合には、カードＢの先端部に当接することで、カードＢの逆方向での挿入を防止する。なお、カードＡがコネクタ１に挿入された場合、突出片２２０は、仕切板６に形成された開口部６０５に入り込むように構成されている。従って、カードＡの挿入に伴う仕切板６の下方側への移動を規制することはない。
【００４３】
また、ハウジング２のベース部２０１には、保護板２１７を支持するための支持片２２１が設けられている。支持片２２１は、最も左方側に配置されたカードＣ用コンタクト２１６の左方側に設けられている。また、カードＣ用コンタクト２１６と同様に、基端部がベース部２０１に固定される一方、先端部がコネクタ１の後方側であって僅かに上方側に延在している。なお、支持片２２１は、カードＣ用コンタクト２１６よりも大きな金属片で構成され、カードＣ用コンタクト２１６よりも僅かに上方側の位置に配置されている。
【００４４】
さらに、排出機構７の下方側には、複数種類のカードの装着状態を検出する検出機構８の一部を構成する固定接点部２２２が設けられている。固定接点部２２２を有する検出機構８は、後述するスライド部材７０１の可動接点部７２１との接触状態に基づく導通状態、非導通状態に応じて複数種類のカードの装着状態を検出する。
【００４５】
さらに、特定のカードＢ用コンタクト２１５の間には、挿入される場合、並びに、装着された場合にカードＢの下面をガイドする複数のガイド片２２３が設けられている。ガイド片２２３は、カードＢ用コンタクト２１５がカードＢの挿入に伴って下方側に押圧された場合に、カードＢの下面に当接するように構成されている。
【００４６】
ここで、本実施の形態に係るコネクタ１が有する主要な構成部品の構成について説明する。図９〜図１１は、本実施の形態に係るコネクタ１が有する仕切板６の構成を説明するための図である。また、図１２〜図１４は、本実施の形態に係るコネクタ１が有するシャッタ機構５の構成を説明するための図である。さらに、図１５は、本実施の形態に係るコネクタ１が有する保護板２１７の構成を説明するための図である。図１６〜図１９は、本実施の形態に係るコネクタ１が有する排出機構７の構成を説明するための図である。
【００４７】
まず、本実施の形態に係るコネクタ１が有する仕切板６の構成について説明する。図９は、本実施の形態に係るコネクタ１が有する仕切板６を上方側から見た場合の斜視図である。図１０は、本実施の形態に係るコネクタ１が有する仕切板６の上面図である。図１１は、本実施の形態に係るコネクタ１が有する仕切板６を下方側から見た場合の斜視図である。
【００４８】
仕切板６の上面部であって後方側端部には、図９〜図１１に示すように、カードＡ用コンタクト２１２に対応する位置に複数の凹部６０２が形成されている。凹部６０２は、カードＡ用コンタクト２１２の基端部近傍を収容可能に構成されている。また、この凹部６０２よりも前方側の位置に複数の開口部６０３が形成されている。開口部６０３は、カードＡ用コンタクト２１２の先端部に対応する位置に形成されており、カードＢ、Ｃの装着に伴って接近する当該先端部を収容可能に構成されている。
【００４９】
さらに、特定の開口部６０３における前方側の位置に複数の突出片６０４が形成されている。突出片６０４は、カードＡが誤った方向で挿入された場合（逆方向に挿入された場合）、或いは、異なるカードが挿入された場合にカードの挿入方向の先端部と当接することで、カードＡ用コンタクト２１２を保護するものである。このように、仕切板６に設けた突出片６０４でカードＡ用コンタクト２１２を保護することで、別部材を設けてコネクタ１を大型化することなく、確実にカードＡ用コンタクトを保護している。
【００５０】
さらに、最も左方側に配置される突出片６０４の前方側の位置に開口部６０５が形成されている。開口部６０５は、仕切板６が下方側に移動した場合にハウジング２のベース部２０１に形成された突出片２２０を収容可能に構成されている。
【００５１】
アーム部６０１は、僅かに前方側に延在する係止片６０１ａを有している。係止片６０１ａは、コネクタ１にカードが装着されていない状態（以下、適宜「初期状態」という）において、後述するシャッタ部材５０１の支持部５０１ｄに載置される。カードＡの挿入に伴ってシャッタ部材５０１が回動すると、この支持部５０１ｄから降りて下方側に移動する。一方、カードＡが排出されると、再び支持部５０１ｄに載置された状態になる。
【００５２】
一方、仕切板６の下面部であって前方側端部には、図１１に示すように、下方側に突出する一対の突出片６０６が形成されている。突出片６０６は、アーム部６０１の側端部近傍に形成され、コネクタ１の前後方向に沿って一定長さを有している。突出片６０６は、カードＣが挿入された場合にカードＣと当接して仕切板６を上方側に移動させると共に、カバー部材３の付勢片３０２による付勢力をカードＢに伝達する役割を果たす。なお、この突出片６０６の前方側の端部には、カードＣを仕切板６の下方側に進入し易くするためにテーパ面が形成されている。
【００５３】
また、右方側に配置された突出片６０６よりも僅かにコネクタ１の左方側の位置には、下方側に突出する当接片６０７が形成されている。当接片６０７は、カードＢが誤った位置に挿入されるのを防止する役割を果たすものである。具体的には、カードＢが適切な位置よりも右方側にずれて挿入された場合にカードＢの先端部と当接することで、誤った位置へカードＢを挿入することでカードＢ用コンタクト２１４、２１５に接触して破損させる事態を防止するものである。
【００５４】
次に、本実施の形態に係るコネクタ１が有するシャッタ機構５の構成について説明する。図１２は、本実施の形態に係るコネクタ１が有するシャッタ機構５のシャッタ部材５０１の斜視図（同図（ａ））、正面図（同図（ｂ））及び上面図（同図（ｃ））である。図１３は、本実施の形態に係るコネクタ１が有するシャッタ機構５のアクチュエータ部材５０２の斜視図（同図（ａ）、（ｄ））、上面図（同図（ｂ））及び下面図（同図（ｃ））である。
【００５５】
シャッタ部材５０１は、図１２に示すように、コネクタ１の側方側に延在するシャッタ本体部５０１ａを有している。そして、このシャッタ本体部５０１ａの側端部であって、下方側且つ前方側の位置に軸５０３が設けられている。シャッタ本体部５０１ａの下面には、切り欠き部５０１ｂが形成されており、シャッタ本体部５０１の前面には、切り欠き部５０１ｃが形成されている。切り欠き部５０１ｂの幅は、カードＢの側面の幅に設定されており、カードＢの挿入時におけるガイド部として機能する。一方、切り欠き部５０１ｃの幅は、カードＡの側面の幅に設定されており、カードＡの挿入時におけるガイド部として機能する。
【００５６】
シャッタ本体部５０１ａの側方側には、後方側に僅かに突出する支持部５０１ｄが設けられている。支持部５０１ｄは、初期状態において水平となる平面部を有し、この平面部の後方側端部で仕切板６の係止片６０１ａを支持する。支持部５０１ｄの前方側には、平面部から上方側に延在する壁部５０１ｅが設けられている。左方側に配置される壁部５０１ｅは、軸５０３に取り付けられたコイルばね５０４の一端を係止する。また、左方側に配置される壁部５０１ｅには、コネクタ１の前方側及び下方側に突出する突出片５０１ｆが設けられている。突出片５０１ｆは、後述するアクチュエータ部材５０２の凹部５０２ｄと係合し、シャッタ部材５０１の回動を規制する。また、シャッタ本体部５０１ａには、初期状態において後方側に突出する係合片５０１ｇが形成されている。係合片５０１ｇは、カードＡの挿入に伴ってシャッタ本体部５０１ａが回動した場合に、後述する保護板２１７の開口部２１７ｂと係合するものである。
【００５７】
アクチュエータ部材５０２は、図１３に示すように、下面に回動軸５０２ｂが偏芯状態で設けられたアクチュエータ本体部５０２ａを備えている。アクチュエータ本体部５０２ａの側面には、カードＡの先端部と当接する当接面５０２ｃが設けられている。当接面５０２ｃは、その先端部がカードＡの挿入経路上に突出する。アクチュエータ本体部５０２ａの下面には、当接面５０２ｃの後方側の位置に凹部５０２ｄが形成されている。凹部５０２ｄは、カードＡの挿入に伴ってアクチュエータ部材５０２及びシャッタ部材５０１が回動した場合に、シャッタ部材５０１の突出片５０１ｆを収容可能に構成されている。また、アクチュエータ本体部５０２ａの下面には、コイルばね５０５の一端を係止する係止片５０２ｅが形成されている。さらに、この係止片５０２ｅと凹部５０２ｄとの間には、カードが挿入されていない状態のシャッタ部材５０１の突出片５０１ｆと対向し、シャッタ部材５０１の回動を規制する規制部５０２ｆが設けられている。
【００５８】
ここで、本実施の形態に係るコネクタ１が有するシャッタ機構５の動作について説明する。図１４は、本実施の形態に係るコネクタ１が有するシャッタ機構５の動作を説明するための斜視図である。図１４（ａ）は、コネクタ１にカードＡが挿入されていない状態について示し、同図（ｂ）は、コネクタ１にカードＡが挿入された状態について示している。
【００５９】
図１４（ａ）に示すように、コネクタ１にカードＡが挿入されていない状態においては、アクチュエータ部材５０２は、当接面５０２ｃの一部を、カードＡの挿入経路上に突出した状態となっている。このとき、凹部５０２ｄは、コネクタ１の後方側よりも僅かに右方側に向いている。一方、シャッタ部材５０１は、切り欠き部５０１ｃをカード挿入口４側に向けた状態となっている。このとき、シャッタ部材５０１の突出片５０１ｆは、アクチュエータ部材５０２の規制部５０２ｆに対向し、シャッタ部材５０１は、回動が規制される状態となっている。
【００６０】
図１４（ａ）に示す状態から、カードＡが挿入されると、カードＡの先端部が当接面５０２ｃに当接し、同図に示す矢印方向にアクチュエータ本体部５０２ａが回動する。このとき、凹部５０２ｄは、コネクタ１の後方側に向いた状態となる。また、規制部５０２ｆは、シャッタ部材５０１の突出片５０１ｆの位置から退避した状態となるため、シャッタ部材５０１が回動となる。一方、シャッタ部材５０１は、切り欠き部５０１ｃにカードＡの先端部が当接し、軸５０３を支点として後方側に倒れるように回動し、切り欠き部５０１ｃを上方側に向けた状態となる。このとき、シャッタ部材５０１の突出片５０１ｆは、図１４（ｂ）に示すように、シャッタ部材５０１の回動に伴って上方側に移動し、アクチュエータ部材５０２の凹部５０２ｄと係合した状態となる。
【００６１】
カードＡが装着されている場合においては、カードＡが切り欠き部５０１ｃ上に載置された状態となるため、シャッタ部材５０１は、図１４（ｂ）に示す状態を維持することとなる。このため、突出片５０１ｆは、凹部５０２ｄと係合した状態を維持することとなり、カードＡがコネクタ１から排出されない限り、シャッタ部材５０１が図１４（ａ）に示す状態に復帰することはない。
【００６２】
次に、本実施の形態に係るコネクタ１が有する保護板２１７の構成について説明する。図１５（ａ）は、本実施の形態に係るコネクタ１が有する保護板２１７の斜視図であり、同図（ｂ）は、本実施の形態に係るコネクタ１が有する保護板２１７の上面図である。
【００６３】
図１５に示すように、保護板２１７の前方側端部には、コネクタ１の側方側に延在する軸部２１７ａが形成されている。保護板２１７は、軸部２１７ａをハウジング２の側壁部２０２に形成された不図示の孔に挿通することで、その後方側の端部を僅かに揺動可能にハウジング２に支持される。また、保護板２１７に形成された溝部２１８の前方側には、矩形状の開口部２１７ｂが形成されている。開口部２１７ｂは、カードＡの挿入に伴ってシャッタ本体部５０１ａが回動した場合にこれに形成された係合片５０１ｇを収容可能な位置に配置されている。
【００６４】
保護板２１７は、カードが挿入されていない状態において、ハウジング２に設けられた支持片２２１によって、図１５（ａ）に示すように傾斜した状態で支持されている。保護板２１７の上面であって、後方側の端部近傍には、支持面２１７ｃが形成されている。支持面２１７ｃは、カードが挿入されていない状態において、保護板２１７の他の表面より僅かに傾斜角度が小さくなっている。支持面２１７ｃは、カードＢの挿入過程において、カードＢの下面をガイドする役割を果たすものである。
【００６５】
次に、本実施の形態に係るコネクタ１が有する排出機構７の構成について説明する。図１６は、本実施の形態に係るコネクタ１が有する排出機構７を上方側から見た場合の斜視図である。図１７は、本実施の形態に係るコネクタ１が有する排出機構７を下方側から見た場合の斜視図である。図１８は、本実施の形態に係るコネクタ１が有する排出機構７の上面図及び下面図である。図１９は、本実施の形態に係るコネクタ１が有する排出機構７を上方側から見た場合の斜視図である。図１９においては、カードが装着された場合の排出機構７の状態について示している。なお、図１６〜図１９においては、排出機構７を構成する圧縮ばね７０２を省略している。
【００６６】
図１６〜図１８に示すように、スライド部材７０１には、カードＡの右方側の先端部と当接する第１当接部７０４、カードＢの右方側の先端部と当接する第２当接部７０５、並びに、カードＣの右方側の先端部と当接する第３当接部７０６が設けられている。第１当接部７０４は、概してスライド部材７０１の上方側部分に設けられ、第２当接部７０５及び第３当接部７０６は、概してスライド部材７０１の下方側部分に設けられている。
【００６７】
特に、第１当接部７０４は、カードＡに対応するカード装着空間に配置され、第２当接部７０５及び第３当接部７０６は、カードＢ及びカードＣに対応するカード装着空間に配置されている。言い換えると、スライド部材７０１は、カードＡに対応するカード装着空間と、カードＢ及びカードＣに対応するカード装着空間に跨って配置されることから、単一のスライド部材７０１でカードＡ、カードＢ及びカードＣを排出することが可能となる。
【００６８】
第１当接部７０４は、カードＡの先端部の形状に応じた傾斜面で構成されており、第２当接部７０５及び第３当接部７０６は、カードの挿入方向に垂直な平面で構成されている。スライド部材７０１は、これらの第１当接部７０４〜第３当接部７０６でカードＡ〜カードＣと当接し、使用者による各カードの挿入動作に伴ってコネクタ１の前後方向にスライド可能に構成されている。
【００６９】
第１当接部７０４の前方側には、カードＡの下面の一部を支持する平面部７０７が設けられている。平面部７０７の左方側端部には、コンタクトユニット２１１の最も右方側に配置されるカードＡコンタクトを保護するための突出片７０８が立設されている。また、平面部７０７の右方側には、上方側に開口した溝部７０９が形成されている。溝部７０９には、コネクタ１に挿入されたカードＡを係止する係止片７１０が装着される。係止片７１０には、スライド部材７０１の前方側部分において、左方側に突出する凸部７１０ａが設けられている。凸部７１０ａは、カードＡの右方側の側面に形成される凹部と係合し、コネクタ１に挿入されたカードＡを係止する。これにより、コネクタ１に装着されたカードＡが抜けるのが防止される。
【００７０】
スライド部材７０１の上面であって、第１当接部７０４の後方側には、概してループ状のガイド溝７１１が形成されている。ガイド溝７１１の中央には、概してハート形状を有するハート形カム７１２が設けられている。ガイド溝７１１は、図１８（ａ）に示すように、ハート形カム７１２の両側に配置される第１ガイド溝７１３、第２ガイド溝７１４、係止部材７０３を係止する係止部７１５を有する凹み溝７１６、並びに、直線状ガイド溝７１７で構成される。係止部材７０３は、このようなガイド溝７１１をカードの挿入動作に応じて一定方向に進む。なお、ガイド溝７１１における係止部材７０３の案内経路上には、係止部材７０３の逆方向への進行を防止する段差部が形成されている。
【００７１】
このようなガイド溝７１１において、カードが装着されていない場合、係止部材７０３は、図１８（ａ）に示すように、直線状ガイド溝７１７の後方側端部に配置された状態となっている。カードが挿入されると、スライド部材７０１の後方側への移動に伴って係止部材７０３が直線状ガイド溝７１７を介して第１ガイド溝７１３に進む。そして、係止部材７０３が第１ガイド溝７１３の前方側端部に到達する位置までカードが押し込まれると、係止部材７０３は、図１９に示すように、凹み溝７１６に進んだ後、係止部７１５に係止された状態となる。
【００７２】
係止部材７０３が係止部７１５に係止された状態から、更にカードが押し込まれると、係止部材７０３は、凹み溝７１６から第２ガイド溝７１４に進む。そして、第２ガイド溝７１４から直線状ガイド溝７１７に進み、再び、係止部材７０３が直線状ガイド溝７１７の後方側端部に配置された状態となる。
【００７３】
また、第２当接部７０５の下方側には、コネクタ１に挿入されたカードＢを係止する係止片７１８が取り付けられている。係止片７１８は、概して、細長い板状部材で形成されている。係止片７１８の前方側の端部は、コネクタ１の内側において後方側に折り返す形状を有している。その後方側に向かう先端部には、上方側に僅かに突出する凸部７１８ａが形成されている。凸部７１８ａは、カードＢの下面に形成される凹部と係合し、コネクタ１に挿入されたカードＢを係止する。これにより、コネクタ１に装着されたカードＢが抜けるのが防止される。
【００７４】
スライド部材７０１の下面には、図１７に示すように、圧縮ばね７０２を収容する凹部７１９が形成されている。凹部７１９の前方側には、圧縮ばね７０２の一端を保持する保持片７２０が設けられている。保持片７２０は、概して円柱形状を有しており、コネクタ１の後方側に向かって一定長さだけ延在している。また、スライド部材７０１の後方側であって凹部７１９の左方側には、溝部７２１が形成されている。溝部７２１には、可動接点部７２２が装着されている。可動接点部７２２は、トーションスプリングで構成されている。トーションスプリングの両端は、スライド部材７０１の下面から僅かに下方側に突出した状態となっている。この突出した部分は、スライド部材７０１の位置に応じてハウジング２に設けられた固定接点部２２２と接触する。
【００７５】
次に、本実施の形態に係るコネクタ１に対して各カードを装着する際の動作について説明する。図２０〜図２６は、本実施の形態に係るコネクタ１に対してカードＡを装着する際の動作を説明するための図である。図２７〜図３１は、本実施の形態に係るコネクタ１に対してカードＢを装着する際の動作を説明するための図である。図３２〜図３６は、本実施の形態に係るコネクタ１に対してカードＣを装着する際の動作を説明するための図である。なお、図２０〜図３６においては、説明の便宜上、カバー部材３を省略している。
【００７６】
まず、本実施の形態に係るコネクタ１に対してカードＡを装着する際の動作について説明する。図２０は、本実施の形態に係るコネクタ１に対してカードＡを挿入した場合の正面図である。図２１は、本実施の形態に係るコネクタ１に対してカードＡを挿入した場合の斜視図である。図２２は、図２１に示す状態のコネクタ１の断面図である。図２３は、本実施の形態に係るコネクタ１に対してカードＡを装着した場合の斜視図である。図２４は、図２２に示す状態のコネクタ１の断面図である。なお、カードＡの挿入前においては、コネクタ１は、図２〜図４に示す状態となっている。
【００７７】
図２０に示すように、本実施の形態に係るコネクタ１に対してカードＡを装着する場合には、ハウジング２に設けられた第１ガイド部２０６にカードＡの側面及び下面を合わせた状態でコネクタ１の内部にカードＡを押し込む。このようにコネクタ１の内部に押し込む過程で、カードＡの先端部がアクチュエータ部材５０２の当接面５０２ｃ、並びに、シャッタ部材５０１に当接する。これにより、アクチュエータ部材５０２が後方側に回動すると共に、シャッタ部材５０１が後方側に倒れるように回動する。このとき、アクチュエータ部材５０２の当接面５０２ｃは、図２１に示すように、カードＡの左方側の側面と対向した状態となる。
【００７８】
このようにカードＡを押し込むと、図２１及び図２２に示すように、カードＡは、仕切板６の上側をコネクタ１の後方側に進む。この場合、仕切板６は、僅かに下方側に移動し、その下面でカードＢ用コンタクト２１４、２１５を僅かに押し下げる。この仕切板６の下面におけるカードＢ用コンタクト２１４、２１５と対応する部分は、カードＢ用コンタクト２１４、２１５を押し下げる押下部を構成する。このように、カードＡの挿入に伴って仕切板６の下面でカードＢ用コンタクト２１４、２１５を僅かに押し下げることで、コネクタ１内の限られた空間を有効に活用している。
【００７９】
また、図２１に示すように、カードＡの右方側の先端部が、仕切板６よりも上方側の位置においてスライド部材７の第１当接面７０４に当接すると共に、スライド部材７の係止片７１０の凸部７１０ａがカードＡの右方側の側面に形成された凹部と係合する。凸部７１０ａがカードＡの凹部と係合することでカードＡのスライド部材７に対する位置が決まり、これ以降、スライド部材７とカードＡとが一緒に移動することとなる。なお、カードＡの先端部が第１当接面７０４に当接した時点においては、係止部材７０３の前方側の一端は、ガイド溝７１１の直線状ガイド溝７１７の後方側の端部近傍に配置されている。
【００８０】
図２１及び図２２に示す状態から更にカードＡを押し込むと、図２３及び図２４に示すように、カードＡ用コンタクト２１２がカードＡの下面に入り込み、カードＡの先端部の下面に形成された接触パッドと接触する。なお、図２３及び図２４においては、カードＡをコネクタ１の最後方側の位置まで押し込み、手を離した状態について示している。この状態においては、係止部材７０３の前方側の一端は、係止部７１５に係止された状態となっている。
【００８１】
なお、このようにカードＡの挿入に伴ってスライド部材７が後方側に移動する際、本実施の形態に係るコネクタ１の検出機構８においては、スライド部材７の下方側に設けられた検出機構８でカードＡの装着状態を検出している。具体的には、ハウジング２に設けられた固定接点部２２２に対するスライド部材７の下面に装着された可動接点部７２２の位置に基づいてカードＡの装着を検出している。
【００８２】
検出機構８においては、図２３及び図２４に示す位置にスライド部材７が移動した場合に可動接点部７２２と固定接点部２２２とが接触し、導通状態となるようにしている。一方、図２３及び図２４に示す位置に到達する前は、可動接点部７２２と固定接点部２２２とが接触せず、非導通状態となるようにしている。検出機構８は、このような可動接点部７２２と固定接点部２２２との導通状態、非導通状態に応じてカードＡの装着状態を検出している。このように、ハウジング２に設けられた固定接点部２２２と、スライド部材７０１に設けられた可動接点部７２２とで検出機構８を構成することから、部品点数を増加させることなく、確実にカードＡの装着を検出することが可能となる。なお、カードＢ及びカードＣの装着状態についても同様である。
【００８３】
また、本実施の形態に係るコネクタ１においては、仕切板６の左方側に配設された検出機構８によりカードＡの装着の有無、並びに、カードＡの書込み防止機能の状態を検出する。ここでは、これらの検出機構８の検出動作のうち、カードＡの書込み防止機能の状態を検出する場合の動作について説明する。
【００８４】
図２５及び図２６は、本実施の形態に係るコネクタ１の検出機構８において、カードＡの書込み防止機能の状態を検出する場合の動作を説明するための斜視図である。なお、図２５及び図２６においては、説明の便宜上、ハウジング２の一部を省略している。図２５は、図２１に示す状態のコネクタ１を示し、図２６は、図２３に示す状態のコネクタ１を示している。また、図２５及び図２６においては、カードＡにおける書込み防止機能がオン状態（書込みがロックされている状態）について示している。すなわち、書込み防止スイッチＳＷがコネクタ１の前方側の位置に切り替えられている場合について示している。
【００８５】
カードＡの書込み防止機能の状態は、コネクタ１の前方側に配置された検出機構８で検出される。図２５に示すように、書込み防止スイッチＳＷが検出機構８に到達していない状態においては、カードＡの左方側先端部が当接部８０２と当接する。そして、当接部８０２の後方側端部を押し下げることで、板状部８０１の後方側が下方に傾いた状態となっている。この場合においては、可動接点部８０３ｂの両端は、それぞれ前後に配置された固定接点部８０３ａに接触し、固定接点部８０３ａと可動接点部８０３ｂとが導通状態となっている。カードＡが所定の装着位置に位置したときに書込み防止スイッチＳＷが当接部８０２に当接して、このように固定接点部８０３ａと可動接点部８０３ｂとが導通状態の場合には、書込み防止機能がオフ状態であると認識される。
【００８６】
この状態からカードＡを押し込むと、図２６に示すように、書込み防止スイッチＳＷが検出機構８の位置に到達するが、当接部８０２とは当接しない。当接部８０２が押し下げられないので、可動接点部８０３ｂの付勢力によって板状部８０１が上方に付勢されて略水平状態になっている。この場合においては、可動接点部８０３ｂの後方側の一端は、固定接点部８０３ａから離間し、固定接点部８０３ａと可動接点部８０３ｂとが非導通状態となっている。カードＡが所定の装着位置に位置したときに書込み防止スイッチＳＷが当接部８０２に当接せず、このように固定接点部８０３ａと可動接点部８０３ｂとが非導通状態の場合には、書込み防止機能がオン状態であると認識される。
【００８７】
なお、カードＡにおける書込み防止機能がオフ状態（書込みがロックされていない状態）においては、書込み防止スイッチＳＷがコネクタ１の後方側の位置に切り替えられる。この場合において、コネクタ１に対してカードＡが装着された場合には、書込み防止スイッチＳＷが当接部８０２と当接し、当接部８０２を押し下げるので、可動接点部８０３ｂの両端は、それぞれ前後に配置された固定接点部８０３ａに接触し、固定接点部８０３ａと可動接点部８０３ｂとが導通状態となっている。従って、この場合においても、書込み防止機能がオフ状態であると認識される。なお、カードＡの装着の有無の検出については、コネクタ１の後方側に配置された検出機構８によって、カードＡの先端部を利用して同様の要領で検出される。
【００８８】
次に、本実施の形態に係るコネクタ１に対してカードＢを装着する際の動作について説明する。図２７は、本実施の形態に係るコネクタ１に対してカードＢを挿入した場合の正面図である。図２８は、本実施の形態に係るコネクタ１に対してカードＢを挿入した場合の斜視図である。図２９は、図２８に示す状態のコネクタ１の断面図である。図３０は、本実施の形態に係るコネクタ１に対してカードＢを装着した場合の斜視図である。図３１は、図３０に示す状態のコネクタ１の断面図である。なお、カードＢの挿入前においては、コネクタ１は、図２〜図４に示す状態となっている。
【００８９】
図２７に示すように、本実施の形態に係るコネクタ１に対してカードＢを装着する場合には、シャッタ部材５０１に設けられた切り欠き部５０１ｂにカードＢの上面を合わせた状態でコネクタ１の内部にカードＢを押し込む。この場合、カードＡを挿入する場合と異なり、カードＢの先端部がアクチュエータ部材５０２の当接面５０２ｃ、並びに、シャッタ部材５０１に当接することはないため、これらが回動することはない。なお、カードＢを挿入する際には、カードＢの左方側の側面を、左方側に配置された第１ガイド部２０６の端部に当接させることで、容易にカードＢを切り欠き部５０１ｂに合わせることが可能となっている。
【００９０】
挿入するカードＢの左方側に配置された第１ガイド部２０６の端部は、カードＢの側面をガイドする第１側面ガイド部を構成し、シャッタ部材５０１の切り欠き部５０１ｂの右方側端部でカードＢの側面をガイドする第２側面ガイド部が構成される。このような第１側面ガイド部及び第２側面ガイド部でカードＢの側面をガイドするようにしたので、カードＢの接触パッドを、側面方向にずれさせることなく、確実にカードＢ用コンタクト２１４、２１５に接続することが可能となる。
【００９１】
このようにカードＢを押し込むと、図２８及び図２９に示すように、カードＢは、仕切板６の下側をコネクタ１の後方側に進む。この場合、仕切板６は、僅かに上方側に移動し、開口部６０３の後方側部分でカードＡ用コンタクト２１２を僅かに押し上げる。この開口部６０３の後方側部分は、カードＡ用コンタクト２１２を押し上げる押上部を構成する。この場合において、カードＡ用コンタクト２１２の先端部は、仕切板６の開口部６０３に収容される。このように開口部６０３でカードＡ用コンタクトを収容することで、カードＡ用コンタクト２１２の先端部が破損する事態を防止している。
【００９２】
また、図２８に示すように、カードＢの右方側の先端部が、仕切板６の下方側の位置においてスライド部材７の第２当接面７０５に当接すると共に、スライド部材７の下方側に設けられた係止片２２２の凸部２２２ａがカードＢの下面に形成された凹部と係合する。凸部２２２ａがカードＢの凹部と係合することで、これ以降、スライド部材７とカードＢとが一緒に移動することとなる。なお、カードＢの先端部が第２当接面７０５に当接した時点においては、係止部材７０３の前方側の一端は、ガイド溝７１１の直線状ガイド溝７１７の後方側端部近傍に配置されている。
【００９３】
なお、カードＢを挿入する際には、図２９に示すように、その上面がシャッタ部材５０１に設けられた切り欠き部５０１ｂの下面及び仕切板６の下面でガイドされると共に、その下面がハウジング２に設けられた保護板２１７の支持面２１７ｃでガイドされている。さらに、その下面が下方側に押し込まれるとハウジング２に設けられたガイド片２２３がガイドするようになっている。これらの位置関係は、カードＢの先端部を僅かに下方側に傾斜させた状態で支持するように構成されている。このため、カードＢは、先端部を下方側に傾斜させた状態でコネクタ１の内部に押し込まれる。
【００９４】
図２８及び図２９に示す状態から更にカードＢを押し込むと、図３０及び図３１に示すように、カードＢ用コンタクト２１４、２１５がカードＢの下面に入り込み、カードＢの先端部の下面に形成された接触パッドと接触する。このとき、カードＢには、仕切板６を介してカバー部材３の付勢片３０２の付勢力が付与されることから、カードＢの接触パッドとカードＢ用コンタクト２１４、２１５との接圧を高くすることが可能となる。なお、図３０及び図３１においては、カードＢをコネクタ１の最後方側の位置まで押し込み、手を離した状態について示している。この状態においては。係止部材７０３の前方側の一端は、係止部７１５に係止された状態となっている。なお、このように装着された状態とされた場合においても、カードＢは、挿入時と同様に、先端部を下方側に傾斜させた状態で保持されている。このように保持された状態においても、シャッタ部５０１の切り欠き部５０１ｂの下面と、仕切板６の下面とによりカードＢの上面をガイドすることで、カードＢの接触パッドとカードＢ用コンタクト２１４、２１５との接続安定性を図っている。
【００９５】
次に、本実施の形態に係るコネクタ１に対してカードＣを装着する際の動作について説明する。図３２は、本実施の形態に係るコネクタ１に対してカードＣを挿入した場合の正面図である。図３３は、本実施の形態に係るコネクタ１に対してカードＣを挿入した場合の斜視図である。図３４は、図３３に示す状態のコネクタ１の断面図である。図３５は、本実施の形態に係るコネクタ１に対してカードＣを装着した場合の斜視図である。図３６は、図３５に示す状態のコネクタ１の断面図である。なお、カードＣの挿入前においては、コネクタ１は、図２〜図４に示す状態となっている。
【００９６】
図３２に示すように、本実施の形態に係るコネクタ１に対してカードＣを装着する場合には、ハウジング２に設けられた第２ガイド部２０７にカードＣの側面及び下面を合わせた状態でコネクタ１の内部にカードＣを押し込む。この場合、カードＡを挿入する場合と異なり、カードＣの先端部がアクチュエータ部材５０２の当接面５０２ｃ、並びに、シャッタ部材５０１に当接することはないため、これらが回動することはない。
【００９７】
このようにカードＣを押し込むと、図３３に示すように、カードＣの先端部が仕切板６に設けられた一対の突出片６０６の下方側に入り込み、仕切板６を持ち上げる。そして、仕切板６の下方側をコネクタ１の後方側に進む。この場合、カードＢの挿入時と同様に、仕切板６は、僅かに上方側に移動し、開口部６０３の後方側部分でカードＡ用コンタクト２１２を僅かに押し上げる。この場合において、カードＡ用コンタクト２１２の先端部は、仕切板６の開口部６０３に収容される。このように開口部６０３でカードＡ用コンタクトを収容することで、カードＢの挿入時と同様に、カードＡ用コンタクト２１２の先端部が破損する事態を防止している。
【００９８】
また、カードＣの先端部の下面がハウジング２に設けられた保護板２１７と接触し、これを下方側から支持する支持片２２１の付勢力に抗して保護板２１７の後方側端部を僅かに押し下げる。これにより、保護板２１７に形成された溝部２１８内において、カードＣ用コンタクト２１６がカードＣに接近する。
【００９９】
さらに、カードＣの右方側の先端部が、仕切板６の下方側の位置においてスライド部材７０１の第３当接部７０６に当接する。なお、カードＣの先端部が第３当接部７０６に当接した時点においては、係止部材７０３の前方側の一端は、ガイド溝７１１の直線状ガイド溝７１７の後方側端部近傍に配置されている。
【０１００】
図３３及び図３４に示す状態から更にカードＣを押し込むと、図３５及び図３６に示すように、カードＣの下面が更に保護板２１７を押し下げる。これにより、保護板２１７の溝部２１８からカードＣ用コンタクト２１６が露出した状態となる。そして、このように露出したカードＣ用コンタクト２１６がカードＣの下面に入り込み、カードＣの先端部の下面に形成された接触パッドと接触する。このとき、カードＣには、仕切板６の突出片６０６を介してカバー部材３の付勢片３０２の付勢力が付与されることから、カードＣの接触パッドとカードＣ用コンタクト２１６との接圧を高くすることが可能となる。なお、図３５及び図３６においては、カードＣをコネクタ１の最後方側の位置まで押し込み、手を離した状態について示している。この状態においては。係止部材７０３の前方側の一端は、係止部７１５に係止された状態となっている。
【０１０１】
本実施の形態に係るコネクタ１においては、仕切板６に、カードＡの挿入に伴って下方側に移動するカードＡ用コンタクト２１２の先端部を収容する開口部６０３と、カードＢの挿入に伴ってカードＡ用コンタクト２１２が開口部６０３を介してカードＢに接触しない位置までカードＡ用コンタクト２１２を押し上げる押上部とを設けている。これにより、コネクタを低背化した場合においても、各カードと、対応しないコンタクトとの接触を回避してコンタクトの破損を防止することが可能となる。
【０１０２】
また、本実施の形態に係るコネクタ１においては、仕切板６を、カードＡの挿入に伴って下方側に移動させる一方、カードＢの挿入に伴って上方側に移動させるようにしている。このように、カードＡ及びカードＢの挿入に伴って仕切板６を上下移動させるようにしたことから、カードＡ及びカードＢに対応するカード装着空間を一部共用することができるので、よりコネクタ１自体の低背化を実現することが可能となる。
【０１０３】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【０１０４】
【図１】本発明の一実施の形態に係るカード用コネクタの外観を示す斜視図である。
【図２】上記実施の形態に係るカード用コネクタの内部の構成を説明するための斜視図である。
【図３】上記実施の形態に係るカード用コネクタの内部の構成を説明するための上面図である。
【図４】図２及び図３に示すカード用コネクタを前方側から示す図である。
【図５】上記実施の形態に係るカード用コネクタの内部の構成を説明するための斜視図である。
【図６】上記実施の形態に係るカード用コネクタの内部の構成を説明するための上面図である。
【図７】上記実施の形態に係るカード用コネクタの内部の構成を説明するための斜視図である。
【図８】上記実施の形態に係るカード用コネクタの内部の構成を説明するための上面図である。
【図９】上記実施の形態に係るカード用コネクタが有する仕切板を上方側から見た場合の斜視図である。
【図１０】上記実施の形態に係るカード用コネクタが有する仕切板の上面図である。
【図１１】上記実施の形態に係るカード用コネクタが有する仕切板を下方側から見た場合の斜視図である。
【図１２】上記実施の形態に係るカード用コネクタが有するシャッタ機構のシャッタ部材の斜視図（ａ）、正面図（ｂ）及び上面図（ｃ）である。
【図１３】上記実施の形態に係るカード用コネクタが有するシャッタ機構のアクチュエータ部材の斜視図（ａ、ｄ）、上面図（ｂ）及び下面図（ｃ）である。
【図１４】上記実施の形態に係るカード用コネクタが有するシャッタ機構の動作を説明するための斜視図である。
【図１５】上記実施の形態に係るカード用コネクタが有する保護板の斜視図（ａ）、上面図（ｂ）である。
【図１６】上記実施の形態に係るカード用コネクタが有する排出機構を上方側から見た場合の斜視図である。
【図１７】上記実施の形態に係るカード用コネクタが有する排出機構を下方側から見た場合の斜視図である。
【図１８】上記実施の形態に係るカード用コネクタが有する排出機構の上面図及び下面図である。
【図１９】上記実施の形態に係るカード用コネクタが有する排出機構を上方側から見た場合の斜視図である。
【図２０】上記実施の形態に係るカード用コネクタに対してカードＡを挿入した場合の正面図である。
【図２１】上記実施の形態に係るカード用コネクタに対してカードＡを挿入した場合の斜視図である。
【図２２】図２１に示す状態のカード用コネクタの断面図である。
【図２３】上記実施の形態に係るカード用コネクタに対してカードＡを装着した場合の斜視図である。
【図２４】図２２に示す状態のカード用コネクタの断面図である。
【図２５】上記実施の形態に係るカード用コネクタの検出機構において、カードＡの書込み防止機能の状態を検出する場合の動作を説明するための斜視図である。
【図２６】上記実施の形態に係るカード用コネクタの検出機構において、カードＡの書込み防止機能の状態を検出する場合の動作を説明するための斜視図である。
【図２７】上記実施の形態に係るカード用コネクタに対してカードＢを挿入した場合の正面図である。
【図２８】上記実施の形態に係るカード用コネクタに対してカードＢを挿入した場合の斜視図である。
【図２９】図２８に示す状態のカード用コネクタの断面図である。
【図３０】上記実施の形態に係るカード用コネクタに対してカードＢを装着した場合の斜視図である。
【図３１】図３０に示す状態のカード用コネクタの断面図である。
【図３２】上記実施の形態に係るカード用コネクタに対してカードＣを挿入した場合の正面図である。
【図３３】上記実施の形態に係るカード用コネクタに対してカードＣを挿入した場合の斜視図である。
【図３４】図３３に示す状態のカード用コネクタの断面図である。
【図３５】上記実施の形態に係るカード用コネクタに対してカードＣを装着した場合の斜視図である。
【図３６】図３５に示す状態のカード用コネクタの断面図である。
【符号の説明】
【０１０５】
１  カード用コネクタ（コネクタ）
２  ハウジング
２０１  ベース部
２０２  側壁部
２０３  係合片
２０４  孔
２０５  凹部
２０６  第１ガイド部
２０７  第２ガイド部
２０８  収容部
２０９  保持片
２１０  係止穴
２１１  コンタクトユニット
２１２  カードＡ用コンタクト
２１３  突出片
２１４、２１５  カードＢ用コンタクト
２１６  カードＣ用コンタクト
２１７  保護板
２１８  溝部
２１９  突出片
２２０  突出片
２２１  支持片
２２２  固定接点部
２２３  ガイド片
３  カバー部材
３０１  切り欠き部
３０２  付勢片
３０３  開口部
３０４  係合片
４  カード挿入口
５  シャッタ機構
５０１  シャッタ部材
５０１ａ  シャッタ本体部
５０１ｂ、５０１ｃ  切り欠き部
５０１ｄ  支持部
５０１ｅ  壁部
５０１ｆ  突出片
５０２  アクチュエータ部材
５０２ａ  アクチュエータ本体部
５０２ｂ  回動軸
５０２ｃ  当接面
５０２ｄ  凹部
５０３  軸
５０４  コイルばね
５０５  コイルばね
６  仕切板
６０１  アーム部
６０２  凹部
６０３  開口部
６０４  突出片
６０５  開口部
６０６  突出片
６０７  当接片
７  排出機構
７０１  スライド部材
７０２  圧縮ばね
７０３  係止部材
７０４  第１当接部
７０５  第２当接部
７０６  第３当接部
７０７  平面部
７０８  突出片
７０９  溝部
７１０  係止片
７１０ａ  凸部
７１１  ガイド溝
７１２  ハート形カム
７１３  第１ガイド溝
７１４  第２ガイド溝
７１５  係止部
７１６  凹み溝
７１７  直線状ガイド溝
７１８  係止片
７１８ａ  凸部
７１９  凹部
７２０  保持片
７２１  溝部
７２２  可動接点部
８  検出機構
８０１  板状部
８０２  当接部
８０３  接点部
８０３ａ  固定接点部
８０３ｂ  可動接点部
【図１】
0004928375.tif 000002
【図２】
0004928375.tif 000003
【図３】
0004928375.tif 000004
【図４】
0004928375.tif 000005
【図５】
0004928375.tif 000006
【図６】
0004928375.tif 000007
【図７】
0004928375.tif 000008
【図８】
0004928375.tif 000009
【図９】
0004928375.tif 000010
【図１０】
0004928375.tif 000011
【図１１】
0004928375.tif 000012
【図１２】
0004928375.tif 000013
【図１３】
0004928375.tif 000014
【図１４】
0004928375.tif 000015
【図１５】
0004928375.tif 000016
【図１６】
0004928375.tif 000017
【図１７】
0004928375.tif 000018
【図１８】
0004928375.tif 000019
【図１９】
0004928375.tif 000020
【図２０】
0004928375.tif 000021
【図２１】
0004928375.tif 000022
【図２２】
0004928375.tif 000023
【図２３】
0004928375.tif 000024
【図２４】
0004928375.tif 000025
【図２５】
0004928375.tif 000026
【図２６】
0004928375.tif 000027
【図２７】
0004928375.tif 000028
【図２８】
0004928375.tif 000029
【図２９】
0004928375.tif 000030
【図３０】
0004928375.tif 000031
【図３１】
0004928375.tif 000032
【図３２】
0004928375.tif 000033
【図３３】
0004928375.tif 000034
【図３４】
0004928375.tif 000035
【図３５】
0004928375.tif 000036
【図３６】
0004928375.tif 000037